(57)【要約】【課題】脚部が拡径状態にクリープ変形しても取付孔に対する良好な挿入性を維持する。【解決手段】張出部１０と複数の脚部１５を備えたグロメット１と、頭部１０と軸部２５を備えた軸体２とからなり、軸体がグロメットに対し押し込まれ脚部を拡径したロック位置、更に押し込まれ脚部を元の態様に復帰可能なロック解除位置に切換可能なクリップ３である。要部は、脚部が内側に設けた脚側凸部４と、脚先端側から脚部内側方向へ傾斜している凸部壁面４ａと、脚側凸部と併設された状態で脚側凸部形成部より脚部先端側へ延長され、かつ延長先端側を脚部内側へ傾斜しているガイド部５とを有している。軸部が脚側凸部と係合して脚部を拡径する軸側凸部６と、脚側凸部と係合することで脚部を拡径から元の態様に復帰可能にする凹部２３と、凸部壁面と当接可能な当接部２３ａと、ガイド部に対する逃がし部７とを有している。【選択図】図６
2015059628.tif 000002
【特許請求の範囲】
【請求項１】
張出部及び該張出部から拡径可能に垂設された複数の脚部を備えたグロメットと、頭部及び該頭部から垂設されて前記張出部に設けられた貫通孔から前記脚部内側へ挿入されることで前記脚部を拡径可能な軸部を備えた軸体とからなり、前記軸体が前記グロメットに所定量押し込まれ前記脚部を拡径したロック位置、更に押し込まれ前記脚部を元の態様に復帰可能なロック解除位置に切換可能なクリップであって、
前記各脚部は、内側に設けられた脚側凸部と、前記脚側凸部の一部を形成して脚部先端側から脚部内側方向へ傾斜している凸部壁面と、前記脚側凸部と併設された状態で該脚側凸部形成部より脚部先端側へ延長されていると共に脚部挿入用取付孔に挿入容易にするためその延長先端側を脚部内側へ傾斜しているガイド部とを有し、
前記軸部は、前記脚側凸部と係合して前記脚部を拡径する軸側凸部と、前記軸側凸部と前記頭部との間に設けられて前記脚側凸部と係合することで前記脚部を拡径から元の態様に復帰可能にする凹部と、前記凸部壁面と当接可能な当接部と、前記ガイド部に対する逃がし部とを有している、ことを特徴とするクリップ。
【請求項２】
取付部材に穿設された第１取付孔の周辺に当接する張出部及び該張出部から拡径可能に垂設されて前記第１取付孔と前記取付部材を取り付けたり連結する被取付部材に穿設された第２取付孔とへ挿入される複数の脚部を備えたグロメットと、頭部及び該頭部から垂設されて前記張出部に設けられた貫通孔から前記脚部内側へ挿入されることで前記脚部を拡径し前記第２取付孔の孔壁側に押付可能な軸部を備えた軸体とからなり、前記軸体が前記グロメットに所定量押し込まれ前記脚部を拡径したロック位置、更に押し込まれ前記脚部を元の態様に復帰可能なロック解除位置に切換可能なクリップであって、
前記各脚部は、内側に設けられた脚側凸部と、前記脚側凸部の一部を形成して脚部先端側から脚部内側方向へ傾斜している凸部壁面と、前記脚側凸部と併設された状態で該脚側凸部形成部より脚部先端側へ延長されていると共に前記各取付孔に挿入容易にするためその延長先端側を脚部内側へ傾斜しているガイド部とを有し、
前記軸部は、前記脚側凸部と係合して前記脚部を拡径する軸側凸部と、前記軸側凸部と前記頭部との間に設けられて前記脚側凸部と係合することで前記脚部を拡径から元の態様に復帰可能にする凹部と、前記凸部壁面と当接可能な当接部と、前記ガイド部に対する逃がし部とを有している、ことを特徴とするクリップ。
【請求項３】
前記取付孔が丸孔であり、前記脚部が対向している２つで構成されていることを特徴とする請求項１又は２に記載のクリップ。
【請求項４】
前記各脚部は前記脚側凸部及び前記ガイド部をそれぞれ左右互い違いに設けており、前記軸部は前記各ガイド部に対応した前記逃がし部を異なる側に互い違いに設け、かつ前記各逃がし部の深さが軸部肉厚の略中間位置に達していることを特徴とする請求項３に記載のクリップ。
【請求項５】
前記凹部は貫通孔に形成されていることを特徴とする請求項１から４の何れかに記載のクリップ。
【請求項６】
前記軸体は、前記軸部の軸方向に延設されて前記グロメットの相対的な回転を規制する突出部を有していることを特徴とする請求項１から５の何れかに記載のクリップ。
【請求項７】
前記軸体は、前記軸部に設けられて前記脚側凸部と前記軸側凸部との係合状態で前記張出部側貫通孔の縁部に嵌合する嵌合状態となり、前記グロメットに更に押し込められると前記貫通孔を弾性変形を伴って通過して前記嵌合状態を嵌合解除する弾性片を有していることを特徴とする請求項１から６の何れかに記載のクリップ。
【発明の詳細な説明】
【技術分野】
【０００１】
本発明は、グロメット及び軸体の２ピースタイプのクリップに関し、特に軸体がグロメットに対し所定量押し込まれるとグロメットの脚部が拡径したロック位置となり、更に押し込まれるとその脚部が元の態様に復帰可能となるロック解除位置に切換可能なクリップに関する。
【背景技術】
【０００２】
図９は特許文献１に開示のクリップを示している。 このクリップ１０は、部材３０に穿設された第１取付孔３４の周辺に当接する基部（本願の張出部に相当）２０及び該基部から拡径可能に垂設されて第１取付孔３４と部材３２に穿設された第２取付孔３６とへ挿入される複数の胴部構成片５２で構成される胴部（本願の脚部に相当）２２とを備えたグロメット１２と、頭部２４及び該頭部から垂設されて基部２０の貫通孔から胴部内側へ挿入されることで胴部構成片５２を拡径し第２取付孔３６の孔壁側に押付可能な軸部２６を備えたピン（本願の軸体に相当）１４とからなる。以上のクリップ１０は、軸体１４がグロメット１２に対し所定量押し込まれて同（ａ）のごとく胴部構成片側に設けられた係合凸部（本願の脚側凸部に相当）５４が軸部側に設けられた係合凹部（本願の軸側凸部に相当）４４に係合した状態で胴部構成片５２を拡径したロック位置、更に最大まで押し込まれると同（ｂ）のごとく係合凸部５４が前記係合を解除して軸部側に設けられた係合凹部４４に落ち込んで係合することで胴部構成片５２を元の態様に復帰可能なロック解除位置に切換可能となっている。
【０００３】
また、特許文献１では、同（ｂ）の態様からピン１４をグロメット１２に対し再利用可能な上方位置に戻す際の作業性を良好にするため、係合凸部５４が胴部先端側から内側方向へ傾斜している凸部壁面５４Ａ及び基部側より胴部内側方向へ傾斜した凸部壁面５４Ｂを有していると共に、係合凹部４４が先端側から軸部内側方向へ傾斜する先端側凹部壁面４４Ａ及び頭部側より軸部内側方向へ傾斜する頭部側凹部壁面４４Ｃを有している。そして、同（ｂ）の態様において、ピン１４の先端部を抜き出す方向へ押し戻そうとすると、ピン先端側凹部壁面４４Ａとグロメット凸部壁面５４Ａとの良好な摺動を伴って各胴部構成片５２が外側方向にスムースに弾性変形可能となる。
【先行技術文献】
【特許文献】
【０００４】
【特許文献１】特開２０１２−１３７１３０号公報
【発明の概要】
【発明が解決しようとする課題】
【０００５】
上記クリップ構造では、再使用に際して、図９（ｂ）の態様で各部材の取付孔より引き抜かれ、又、ピンがグロメットに対し頭部をグロメットより突出するまで上移動された初期態様に戻される。再び使用するときは、クリップがその初期態様で各部材の取付孔に挿入された後、ピンが同（ａ）の位置まで押し込め操作される。ところで、この種のクリップは、グロメットが同（ａ）のごとく拡径状態に長くおかれると、時間の経過と共に変形が進んで同（ｂ）の態様にしても、クリープ現象により元の態様に完全には復帰されなくなる。
【０００６】
同（ｂ）の一点鎖線は、胴部構成片がそのようなクリープ変形で所定量だけ拡径した場合を想定し、その拡径後の位置例を加入したものである。再使用する構成では、胴部構成片が広がった状態にクリープ変形すると、前記した初期態様に戻した後、各部材の取付孔に挿入するとき、胴部構成片同士の最大距離が取付孔の孔径より大きくなるため、取付孔に挿入し難くなり、引いては作業性が悪くなる。このような事態は、取付孔にバリがでていると引っ掛かり易くなり更に作業性を低下させる。
【０００７】
本発明の目的は、以上のような課題を解消して、グロメットの脚部が拡径態様にクリープ変形しても、取付孔に対する良好な挿入性を維持できるようして、再使用時の作業性低下要因をなくすことにある。他の目的は以下の内容説明のなかで明らかにする。
【課題を解決するための手段】
【０００８】
本発明者は、上記目的を達成するため請求項１と２の発明を工夫した。両者は、請求項１が取付部材及び被取付部材を用いずに特定し、請求項２が取付部材及び被取付部材を用いて特定している点で相違しているが、要部はほぼ同じである。
【０００９】
すなわち、請求項１の発明は、張出部及び該張出部から拡径可能に垂設された複数の脚部を備えたグロメットと、頭部及び該頭部から垂設されて前記張出部に設けられた貫通孔から前記脚部内側へ挿入されることで前記脚部を拡径可能な軸部を備えた軸体とからなり、前記軸体が前記グロメットに所定量押し込まれ前記脚部を拡径したロック位置、更に押し込まれ前記脚部を元の態様に復帰可能なロック解除位置に切換可能なクリップであって、前記各脚部は、内側に設けられた脚側凸部と、前記脚側凸部の一部を形成して脚部先端側から脚部内側方向へ傾斜している凸部壁面と、前記脚側凸部と併設された状態で該脚側凸部形成部より脚部先端側へ延長されていると共に脚部挿入用取付孔に挿入容易にするためその延長先端側を脚部内側へ傾斜しているガイド部とを有し、前記軸部は、前記脚側凸部と係合して前記脚部を拡径する軸側凸部と、前記軸側凸部と前記頭部との間に設けられて前記脚側凸部と係合することで前記脚部を拡径から元の態様に復帰可能にする凹部と、前記凸部壁面と当接可能な当接部と、前記ガイド部に対する逃がし部とを有していることを特徴としている。
【００１０】
また、請求項２の発明は、取付部材に穿設された第１取付孔の周辺に当接する張出部及び該張出部から拡径可能に垂設されて前記第１取付孔と前記取付部材を取り付けたり連結する被取付部材に穿設された第２取付孔とへ挿入される複数の脚部を備えたグロメットと、頭部及び該頭部から垂設されて前記張出部に設けられた貫通孔から前記脚部内側へ挿入されることで前記脚部を拡径し前記第２取付孔の孔壁側に押付可能な軸部を備えた軸体とからなり、前記軸体が前記グロメットに所定量押し込まれ前記脚部を拡径したロック位置、更に押し込まれ前記脚部を元の態様に復帰可能なロック解除位置に切換可能なクリップであって、前記各脚部は、内側に設けられた脚側凸部と、前記脚側凸部の一部を形成して脚部先端側から脚部内側方向へ傾斜している凸部壁面と、前記脚側凸部と併設された状態で該脚側凸部形成部より脚部先端側へ延長されていると共に前記各取付孔に挿入容易にするためその延長先端側を脚部内側へ傾斜しているガイド部とを有し、前記軸部は、前記脚側凸部と係合して前記脚部を拡径する軸側凸部と、前記軸側凸部と前記頭部との間に設けられて前記脚側凸部と係合することで前記脚部を拡径から元の態様に復帰可能にする凹部と、前記凸部壁面と当接可能な当接部と、前記ガイド部に対する逃がし部とを有していることを特徴としている。
【００１１】
以上の各発明において、取付部材及び被取付部材としては、一方を他方に重ねて取り付ける構成、両部材を重ねた状態で連結する構成、取付部材や被取付部材が２以上で構成されるような仕様も含む。
【００１２】
以上の各発明は、請求項３〜７で特定したように具体化されることがより好ましい。
（ア）前記取付孔が丸孔であり、前記脚部が対向している２つで構成されている。
（イ）前記各脚部は前記脚側凸部及び前記ガイド部をそれぞれ左右互い違いに設けており、前記軸部は前記各ガイド部に対応した前記逃がし部を異なる側に互い違いに設け、かつ前記各逃がし部の深さが軸部肉厚の略中間位置に達している構成である。
（ウ）前記凹部は貫通孔に形成されている構成である。
【００１３】
（エ）前記軸体は、前記軸部の軸方向に延設されて前記グロメットの相対的な回転を規制する突出部を有している構成である。
（オ）前記軸体は、前記軸部に設けられて前記脚側凸部と前記軸側凸部との係合状態で前記張出部側貫通孔の縁部に嵌合する嵌合状態となり、前記グロメットに更に押し込められると前記貫通孔の縁部を弾性変形を伴って通過して前記縁部の下側に移動する弾性片を有している構成である。
【発明の効果】
【００１４】
請求項１と２の各発明では、特許文献１と同じく軸体がグロメットに対し所定量押し込まれて脚部を拡径したロック位置、更に押し込まれて脚部を元の態様に復帰可能なロック解除位置に切換可能であるという利点に加え、再使用する操作において、脚部が拡径方向にクリープ変形したとしてもその影響を受けず、常に良好な作業性を維持できる。すなわち、各発明のクリップは、脚部が拡径方向にクリープ変形しても、延長先端側を脚部内側へ傾斜したガイド部により請求項１の脚部挿入用取付孔、或いは請求項２の各部材の取付孔に対する良好な挿入性を確保し、更に取付孔に形成されるバリなどの影響を受け難くし、それにより再利用時の作業性を向上できる。
【００１５】
請求項２の発明では、脚部が２つという特定は例えばクリップが小さくても、形態例のごとく脚部の幅内で脚側凸部とガイド部とを設け易くなり、また、取付孔が一般的に採用される丸孔形状の構成において好適となる。
【００１６】
請求項３の発明では、請求項２において、各脚部が脚側凸部及びガイド部を左右互い違いに設けていると、例えば取付孔に対する各ガイド部の案内作用をより良好に得られる。また、軸部が各ガイド部に対応した逃がし部及び脚側凸部に対する軸側凸部を異なる側つまり形態例のごとく背中合わの両側で互い違いに設け易くなる。しかも、各逃がし部の深さが図８（ｃ）のごとく軸部肉厚の略中間位置に達していると、ガイド部や軸側凸部を逃がし部の深さに応じて大き目に形成可能となる。
【００１７】
請求項４の発明では、軸部の凹部が貫通孔となっているため、脚側凸部の突出寸法を相対的に大きくでき、それにより脚部の最大拡径寸法を任意に設定し易く設計自由度を拡大できる。
【００１８】
請求項５の発明では、軸体側の突出部によりグロメットの各脚部の相対的な回転を規制しているため、専ら直線方向の動きとなり取付孔に対する安定した挿入性や切換操作性を維持し易くなる。
【００１９】
請求項６の発明では、図７及び図８から推察されるごとく、弾性片が軸体のロック位置で貫通孔の縁部に嵌合するため軸体が過剰な押し込め力によりロック解除位置まで誤って切り換えられる虞を防ぎ易い点、軸体が更に押し込められてロック位置からロック解除位置に切り換えられ過程で、弾性片が貫通孔の縁部を弾性変形を伴って通過するためロック解除力が繰り返し操作によっても低下し難くなり、しかも変形を伴って通過したときにクリック音などによりロック解除位置への切換完了を認識し易くなる点、等の利点が得られる。
【図面の簡単な説明】
【００２０】
【図１】（ａ）と（ｂ）は形態例のクリップをグロメットに軸体を挿入している過程で９０度回転した状態で示す概略斜視図である。
【図２】上記グロメット単品を示し、（ａ）は正面図、（ｂ）は半断面した正面図、（ｃ）は下面図、（ｄ）は半断面した側面図である。
【図３】図２のグロメットの細部を示し、（ａ）は図２（ａ）のＡ−Ａ線断面図、（ｂ）と（ｃ）は図２（ｂ）のＢ−Ｂ線断面図とＣ−Ｃ線断面図である。
【図４】上記軸体単品を示し、（ａ）は正面図、（ｂ）は側面図、（ｃ）は下面図である。
【図５】図４の軸体の細部を示し、（ａ）は図４（ａ）のＤ−Ｄ線断面図、（ｂ）と（ｃ）は図４（ａ）のＥ−Ｅ線断面図とＦ−Ｆ線断面図である。
【図６】上記軸体をグロメットに挿入した挿入態様で示し、（ａ）と（ｂ）はグロメットを図２（ａ）と（ｂ）のごとく半断面で示す正面図と側面図、（ｃ）はその一部を半断面しない態様で示す部分図である。
【図７】上記軸体をグロメットに押し込んだグロメットの拡径態様で示し、（ａ）と（ｂ）はグロメットを図２（ａ）と（ｂ）のごとく半断面で示す正面図と側面図、（ｃ）はその一部を半断面しない態様で示す部分図である。
【図８】上記軸体をグロメットに更に押し込んだ態様で示し、（ａ）と（ｂ）はグロメットを図２（ａ）と（ｂ）のごとく半断面で示す正面図と側面図、（ｃ）はその一部を半断面しない態様で示す部分図である。
【図９】特許文献１の構造を示し、（ａ）は文献１の図３を示し、（ｂ）は文献１の図４と共に問題点を説明するため一部加入した状態で示している。
【発明を実施するための形態】
【００２１】
以下、本発明の形態例について図１〜図８を参照しながら説明する。この説明では、クリップの構造を詳述した後、主な作動を明らかにする。
【００２２】
（構造）形態例のクリップ３は、張出部１０及び該張出部から拡径可能に垂設された複数の脚部１５を備えたグロメット１と、頭部２０及び該頭部から垂設されて張出部１０に設けられた貫通孔１３から脚部内側へ挿入されることで脚部１５を拡径可能な軸部２５を備えた軸体２とからなり、軸体２がグロメット１に対し所定量押し込まれ脚部１５を拡径したロック位置、更に押し込まれ脚部１５を元の態様に復帰可能なロック解除位置に切換可能なタイプである。
【００２３】
まず、グロメット１は、図１と図２及び図３に示されるごとく樹脂成形体であり、張出部１０としては略円盤状の中央に設けられた凹部１１と、該凹部の底面１２を貫通した貫通孔１３とを有し、各脚部１５としては内側に設けられた脚側凸部４と、該脚側凸部の一部を形成して脚部先端側から脚部内側方向へ傾斜している凸部壁面４ａと、該脚側凸部と併設された状態で脚側凸部４を形成している脚側凸部形成部より脚部先端側へ延長されているガイド部５と、先端側外周に設けられて長手方向に延びているリブ１８とを有している。
【００２４】
このうち、凹部１１は軸体の頭部２０に対応した略円形状からなる。底面１２には、軸体の軸部２５を挿通する貫通孔１３が設けられると共に、各脚部１５の基部が対向した箇所に連結されている。貫通孔１３は、略矩形状であり、各脚部１５の基部両側部分を貫通して後述する軸部側の突出部２８を挿通する４カ所の挿通孔１３ａを有している。また、貫通孔１３の周縁部のうち、脚部１５を連結していない箇所で、挿通部１３ａと１３ａとの間を形成している箇所には後述する軸部の弾性片２７の爪２７ａが嵌合する嵌合縁部１２ａと、各挿通孔１３ａと嵌合縁部１２ａとの間を形成している４カ所の弾性規制部１２ｃとが設けられている。嵌合縁部１２ａの下面側は、欠肉状態に設けられて弾性片の爪２７ａを収容可能な小空間１２ｂとなっている。各弾性規制部１２ｃは、揺動変位を伴って後述する軸部の横リブ２９ａを通過することで、グロメット１に対して軸体２が簡単に外れないようにする。符号１４は、張出部１０の裏面の一部を欠肉した凹所である。符号１５ａは、底面１２に連結されている脚部１５の基部である。
【００２５】
脚部１５は対向された状態に配置された２つからなる。各脚部１５は、図３（ｂ）のごとく脚側凸部４とガイド部５とを互い違いとなるよう形成している。換言すると、各脚部１５は、一方脚部の脚側凸部４と他方脚部のガイド部５とが略対向し、一方脚部１５のガイド部５と他方脚部の脚側凸部４とが略対向する関係である。また、脚側凸部４とガイド部５は、各脚部１５の先端側にあって、脚部を形成している板部の左右に設けられている。
【００２６】
そして、脚側凸部４は、各脚部１５の先端内面（の片側）から突設され、その先端が脚部同士の中間近くまで突出している。また、脚側凸部４の下端側ないしは脚部先端側は、脚部先端側から脚部内側方向へ傾斜している凸部壁面４ａとなっている。つまり、凸部壁面４ａは、脚側凸部４から離れる程、内側より外面１６側に近づく傾斜面である。一方、脚側凸部４の上端側ないしは張出部１０側は、脚部内面１７から脚側凸部４方向へ傾斜している凸部壁面４ｂとなっている。つまり、凸部壁面４ｂは、脚側凸部４から離れる程、内側より外面１６側に近づく傾斜面である。
【００２７】
ガイド部５は、脚側凸部４と略併設された状態で該脚側凸部形成部（凸部壁面４ａ）より脚部先端側へ延長され、また、後述する取付孔に挿入容易にするためその延長先端側を脚部内側へ傾斜した傾斜部５ａに形成している。リブ１８は、脚部外面１６の幅ほぼ中間に設けられて脚部先端から脚部上下中間より少し上側まで延びている。符号１９は、脚部外面１６の両側に設けられて先端側より張出部１０の手前まで延びているリブである。符号１７ｂは脚部内面１７の中間部１７ａを除く両側部分に設けられた小リブである。
【００２８】
次に、軸体２は、図１と図４及び図５に示されるごとく樹脂成形体であり、頭部２０及び頭部２０に下設された軸部２５を有している。頭部２０は、上下面２１，２２が平坦であり、凹部１１に余裕を持って収まる大きさの略円盤状に形成されている。軸部２５は、グロメット側貫通孔１３に対応した略矩形板状に形成され、頭部下面の中心から突設されて脚側凸部４と係合して脚部１５を拡径する軸側凸部６と、ガイド部５に対する溝形状の逃がし部７と、軸側凸部６と頭部２０との間に設けられて脚側凸部４と係合することで脚部１５を拡径から元の態様に復帰可能にする凹部２３と、凸部壁面４ａと当接可能な当接部２３ａと、グロメット１の相対的な回転を規制する突出部２８，２８と、脚側凸部４と軸側凸部６との係合状態で張出部側嵌合縁部１２ａに嵌合する嵌合状態となる弾性片２７とを有している。
【００２９】
このうち、軸部２５は、基端が頭部２０の下面中央に一体化されおり、図４（ｂ）のごとく側面の先端が次第に細くなるテーパー２５ａとなっている。弾性片２７は、軸部２５の上軸部分２６の頭部２０側にあって、軸部の左右にそれぞれ逆Ｌ形のスリット２４を介して設けられている。各弾性片２７は上端に爪２７ａを一体に形成している。上軸部分２６には、各スリット２４に沿って突出した小リブ２６ａと、各スリット２４の下側に設けられた縦溝２６ｂと、各爪２７ａと対向する両側面の上側で頭部下面２２と一体化されている小突起２２ａとが設けられている。小リブ２６ａは、例えば図７の脚部１５が軸部２５により拡径したロック位置で脚部１５の基端側に圧接することで隙間を吸収する。縦溝２６ｂは、図５（ｂ）のごとく脚部側の小リブ１７ｂと摺動自在に嵌合するガイド用である。小突起２２ａは、図４（ａ）のごとくな爪１７ａが小空間１２ｂに収容された状態で嵌合縁部１２ａに嵌合される。
【００３０】
突出部２８，２８は、軸部２５の正面及び背面にそれぞれ設けられて、図６〜図７のごとく対応する脚部１５を摺動自在に挟み込んだ状態にする。符号２９は軸部の両側に沿って設けられた縦リブ、符号２９ａは縦リブ２９の一部に連設され左右ないしは横リブである。これらは、図６のごとく軸体２がグロメット１に初期挿入されるときに縦リブ２９が嵌合縁部１２ａに当たりながら摺動すると共に、左右リブ２９ａが嵌合縁部１２ａの弾性揺動を伴って通過する。この構造では、横リブ２９ａが嵌合縁部１２ａを一旦通過すると、軸体２がグロメット１に対し天地逆転しても簡単には外れないよう構成されている。
【００３１】
軸側凸部６及び逃がし部７は、軸先端側の左右に併設されると共に、脚側凸部４及びガイド部５に対応して正面側と背面側とで互い違いに設けられている。つまり、この関係は、図５（ａ）のごとく正面又は右側の軸側凸部６と背面又は左側の逃がし部７とが背中合わせで、正面又は左側の逃がし部７と背面又は右側の軸側凸部６とが背中合わせとなっている。
【００３２】
また、各軸側凸部６は、側面視で軸部先端から凹部２３の当接部２３ａより少し手前まで滑らかに出っ張った張出部６ａと、当接部２３ａの手前に設けられた小さな窪み部６ｂとを有している。すなわち、この構造では、軸体２がグロメット１に所定量押し込められる過程で、脚側凸部４が張出部６の先端から窪み部６ｂ側へ相対的に摺動することで脚部１５を拡径したロック位置にし、かつ、脚側凸部４が窪み部６ｂに係合することでそのロック位置を保つ。
【００３３】
各逃がし部７は、軸部先端から途中までを比較的浅く形成した誘導溝７ａと、誘導溝７ａと凹部２３の少し手前までを深く形成した遊嵌溝７ｂとからなり、グロメット１に対する軸体２の押し込めにより対応するガイド部５を誘導溝７ａから遊嵌溝７ｂに遊嵌ないしは逃がす。すなわち、この構造では、脚側凸部４が窪み部６ｂから凹部２３に係合すると同時に、ガイド部５が遊嵌溝７ｂに入って遊嵌ないしは逃がされる。また、この構造では、図５（ｃ）のごとく各逃がし部７の深さが軸部２５の肉厚の略中間位置に達し、ガイド部５や脚側凸部４を逃がし部７の深さに応じて大き目に形成可能している。
【００３４】
凹部２３は、上軸部分２６又は縦溝２６ｂと遊嵌溝７ｂとの間で、かつ、両側の突出部２８と突出部２８との間に矩形の貫通孔として設けられている。当接部２３ａは、窪み部６ｂの上側より凹部２３の貫通孔内に向けて傾斜している。当接部２３ａの上側は、各逃がし部７の深さと同じく軸部２５の肉厚の略中間位置に達している。一方、凹部２３である貫通孔の上端側は、凹部２３内から上軸部分２６方向へ傾斜した傾斜面２３ｂとなっている。
【００３５】
（作動）以下、以上のクリップ構造の主な作動特徴を図６〜図８を参照し明らかにする。
（ア）クリップ３は、図１に示されるごとくグロメット１に対し軸体の軸部２５を凹部１１から貫通孔１３に挿入すると、上記したごとく軸部の横リブ２９ａが弾性規制部１２ｃを揺動させながら通過することで、軸体２がグロメット１から簡単には外れなくなり、図６の仮組付け態様となる。この態様では、軸体２がグロメットの脚部１５同士の内側に挿入、つまり軸部２５の先端が脚側凸部４同士にほぼ当たって規制されるまで挿入される。各脚部１５は、軸部の対応する突出部２８と突出部２８との間に挟持された状態に配置される。このため、この構造では、例えばグロメット１の相対的な回転を防いで、グロメット１に対する軸体２７の移動を直線方向に規制する。
【００３６】
（イ）図６の使用例は、取付部材８が被取付部材９に対し互いの取付孔８ａ，９ａを一致させた状態で重ねられており、前記したクリップ３が取付孔８ａ，９ａに挿入操作される。この場合、クリップ３は、脚部１５同士の最大距離が取付孔８ａ，９ａの孔径Ｘに挿入可能な寸法に設計されているため、張出部１０が取付部材の取付孔８ａの周辺に当たるまで各脚部１５を取付孔８ａ，９ａに挿入される。また、この構造では、図３（ｂ）のごとく各脚部１５が先端側外周に設けられて長手方向に延びているリブ１８，１９を有し、リブ１８，１９を介して取付孔８ａ，９ａに接触するようにしているため、接触面積をそれらリブ１８，１９を介して減らし、それにより取付孔８ａ，９ａに形成され易いバリの影響を受け難くして作業性を向上できる。
【００３７】
（ウ）図７は、以上のようにして各脚部１５を取付孔８ａ，９ａに挿入した後、軸体２がグロメット１に対し所定量押し込まれて脚部１５を拡径したロック位置を示している。この構造では、軸体２がグロメット１に所定量押し込められる過程で、軸側凸部６が脚側凸部４に当たって摺接しながら、各脚部１５を軸側凸部６の張出形状にて拡径方向へ変位させる。軸体２は、脚側凸部４が軸側凸部の張出部６ａから窪み部６ｂに係合することで、各脚部１５をその拡径態様つまりロック位置に保持する。この拡径態様では、各脚部１５が第２取付孔９ａの孔壁側に押し付けられ、その押付部と張出部１０との間に取付部材８及び被取付部材９を挟持した状態となり、それによって取付部材８が被取付部材９に取り付けられたり、部材８，９同士が連結可能となる。
【００３８】
（エ）図８は、軸体２がロック位置から更に押し込まれて脚部１５を拡径態様から元の縮径態様に復帰可能なロック解除位置に切り換えられた状態を示している。この構造では、軸体２が図７のロック位置から押し込め操作されると、脚側凸部４が窪み部６ｂから係合解除した後、傾斜面である凸部壁面２３ａに当たって拡径態様から縮径しつつ凹部２３に入り込む。その際、ガイド部５は、誘導溝７ａから遊嵌溝７ｂに入って遊嵌ないしは逃がされるため、各脚部１５の縮径作動を損なわない。この構造では、凹部２３が貫通孔となっているため脚側凸部４の突出寸法を相対的に大きくできる。
【００３９】
（オ）また、この構造では、軸体２がロック位置から押し操作されると、弾性片２７が揺動変位しながら、爪２７ａが凹部底面側の嵌合縁部１２ａを通過し、その下側の小空間１２ｂに嵌合されるため、軸体２が押し込められてロック位置からロック解除位置に切り換えられ過程で、弾性片２７が貫通孔の縁部である嵌合縁部１２ａを弾性変形を伴って通過するためロック解除力が繰り返し操作によっても低下し難くなると共に、変形を伴って通過したときにクリック音などによりロック解除位置への切換完了を認識し易くなる。
【００４０】
（カ）以上のクリップ３は、図８の態様から張出部１０などを利用して取付孔８ａ，９ａより引き抜かれる。そして、再使用に際しては、例えば、軸体２がクリップ１に対し軸部先端側を引き抜き方向に押したり、張出部１１から突出した頭部２０を利用して引くことにより図６の仮組付け態様に切り換えられる。その過程では、弾性片２７は、弾性変位を伴って爪２７ａが小空間１２ｂから嵌合解除し、再び嵌合縁部１２ａに嵌合する。その際も、この構造では、弾性片２７のクリック音などにより切換完了を認識し易くなる。
【００４１】
（キ）図６と図８の各（ｂ）の一点鎖線は、実線で示された脚部１５に対し拡径方向にクリープ変形した脚部１５を示している。従来は、クリップ１を再使用する際、グロメットの脚部１５が拡径方向にクリープ変形していると、脚部挿入用取付孔への挿入操作に苦労していた。この点、形態例のクリップ３は、脚部１５が拡径方向にクリープ変形していても、その影響を受けずに常に取付孔８ａ，９ａに対する良好な挿入性を維持できる。次のその工夫点を明らかにする。
【００４２】
すなわち、以上のクリップ３は、グロメットの脚部構成として、各脚部１５が脚側凸部４及びガイド部５を左右ないしは併設しており、また、ガイド部５が脚側凸部４を形成している凸部壁面４ａより延長されると共に、その延長先端側が脚部内側へ傾斜した傾斜部５ａに形成されている。このため、この構造では、各脚部１５が一点鎖線のごとくクリープ変形により拡径していても、脚部内側へ傾斜している傾斜部５ａ同士の間の距離Ｌが取付孔８ａ，９ａの孔径Ｘより小さくなり、その結果、取付孔８ａ，９ａに各脚部の傾斜部５ａをスムースに差し入れて押し操作すればワンタッチで挿入される。この作用は、各部材の取付孔８ａ，９ａに対する良好な挿入性を維持し、更に例えば取付孔８ａにバリなどがあってもその影響を受け難くして、再利用時の作業性低下要因をなくし作業性を向上できる。
【００４３】
なお、本発明のクリップは、請求項１で特定される構成を備えておればよく、細部は形態例を参考にして変更したり展開可能なものである。その例としては、弾性片などを省略して簡素化したり、逆に、図８の態様でグロメットないしはクリップを取付孔から引き抜くときに利用する溝や突部などを張出部に設けることである。
【符号の説明】
【００４４】
１・・・・グロメット（１０は張出部、１５は脚部）
２・・・・軸体（２０は頭部、２５は軸部）
３・・・・クリップ
４・・・・脚側凸部（４ａは凸部壁面）
５・・・・ガイド部（５ａは傾斜部）
６・・・・軸側凸部（６ａは張出部、窪み部６ｂ）
７・・・・逃がし部（７ａは誘導溝、７ｂは遊嵌溝）
８・・・・取付部材（８ａは取付孔）
９・・・・被取付部材（９ａは取付孔）
１１・・・凹部（１３は貫通孔）
２３・・・凹部（２３ａは当接部）
２７・・・弾性片（２７ａは爪）
２８・・・突出部
【図１】
2015059628.tif 000003
【図２】
2015059628.tif 000004
【図３】
2015059628.tif 000005
【図４】
2015059628.tif 000006
【図５】
2015059628.tif 000007
【図６】
2015059628.tif 000008
【図７】
2015059628.tif 000009
【図８】
2015059628.tif 000010
【図９】
2015059628.tif 000011
【手続補正書】
【提出日】平成26年12月9日(2014.12.9)
【手続補正１】
【補正対象書類名】特許請求の範囲
【補正対象項目名】請求項７
【補正方法】変更
【補正の内容】
【請求項７】
前記軸体は、前記軸部に設けられて前記脚側凸部と前記軸側凸部との係合状態で前記張出部側貫通孔の縁部に嵌合する嵌合状態となり、前記グロメットに更に押し込められると前記貫通孔を弾性変形を伴って通過して前記縁部の下側に移動する弾性片を有していることを特徴とする請求項１から６の何れかに記載のクリップ。
【手続補正２】
【補正対象書類名】明細書
【補正対象項目名】００１５
【補正方法】変更
【補正の内容】
【００１５】
請求項３の発明では、脚部が２つという特定は例えばクリップが小さくても、形態例のごとく脚部の幅内で脚側凸部とガイド部とを設け易くなり、また、取付孔が一般的に採用される丸孔形状の構成において好適となる。
【手続補正３】
【補正対象書類名】明細書
【補正対象項目名】００１６
【補正方法】変更
【補正の内容】
【００１６】
請求項４の発明では、請求項２において、各脚部が脚側凸部及びガイド部を左右互い違いに設けていると、例えば取付孔に対する各ガイド部の案内作用をより良好に得られる。また、軸部が各ガイド部に対応した逃がし部及び脚側凸部に対する軸側凸部を異なる側つまり形態例のごとく背中合わの両側で互い違いに設け易くなる。しかも、各逃がし部の深さが図８（ｃ）のごとく軸部肉厚の略中間位置に達していると、ガイド部や軸側凸部を逃がし部の深さに応じて大き目に形成可能となる。
【手続補正４】
【補正対象書類名】明細書
【補正対象項目名】００１７
【補正方法】変更
【補正の内容】
【００１７】
請求項５の発明では、軸部の凹部が貫通孔となっているため、脚側凸部の突出寸法を相対的に大きくでき、それにより脚部の最大拡径寸法を任意に設定し易く設計自由度を拡大できる。
【手続補正５】
【補正対象書類名】明細書
【補正対象項目名】００１８
【補正方法】変更
【補正の内容】
【００１８】
請求項６の発明では、軸体側の突出部によりグロメットの各脚部の相対的な回転を規制しているため、専ら直線方向の動きとなり取付孔に対する安定した挿入性や切換操作性を維持し易くなる。
【手続補正６】
【補正対象書類名】明細書
【補正対象項目名】００１９
【補正方法】変更
【補正の内容】
【００１９】
請求項７の発明では、図７及び図８から推察されるごとく、弾性片が軸体のロック位置で貫通孔の縁部に嵌合するため軸体が過剰な押し込め力によりロック解除位置まで誤って切り換えられる虞を防ぎ易い点、軸体が更に押し込められてロック位置からロック解除位置に切り換えられ過程で、弾性片が貫通孔の縁部を弾性変形を伴って通過するためロック解除力が繰り返し操作によっても低下し難くなり、しかも変形を伴って通過したときにクリック音などによりロック解除位置への切換完了を認識し易くなる点、等の利点が得られる。
【手続補正７】
【補正対象書類名】明細書
【補正対象項目名】００３５
【補正方法】変更
【補正の内容】
【００３５】
（作動）以下、以上のクリップ構造の主な作動特徴を図６〜図８を参照し明らかにする。
（ア）クリップ３は、図１に示されるごとくグロメット１に対し軸体の軸部２５を凹部１１から貫通孔１３に挿入すると、上記したごとく軸部の横リブ２９ａが弾性規制部１２ｃを揺動させながら通過することで、軸体２がグロメット１から簡単には外れなくなり、図６の仮組付け態様となる。この態様では、軸体２がグロメットの脚部１５同士の内側に挿入、つまり軸部２５の先端が脚側凸部４同士にほぼ当たって規制されるまで挿入される。各脚部１５は、軸部の対応する突出部２８と突出部２８との間に挟持された状態に配置される。このため、この構造では、例えばグロメット１の相対的な回転を防いで、グロメット１に対する軸体２の移動を直線方向に規制する。